(57)【特許請求の範囲】
【請求項１】
ディスク装置のアクチュエータアームのサスペンション支持部に固定されるベースプレートと、
前記ベースプレートに取付けられたロードビームと、
前記ロードビームに沿って配置されかつ先端部にスライダが設けられるフレキシャと、
を有するディスク装置用サスペンションであって、
前記ベースプレートは、
前記サスペンション支持部と向かい合う取付面と、
前記サスペンション支持部に形成された孔に挿入されるボス部と、
前記取付面のうち前記ボス部の中心を境として前記スライダに近い側に位置する第１領域と、
前記取付面のうち前記ボス部の中心を境として前記スライダから遠い側に位置する第２領域と、
前記ベースプレートの前記第２領域の後端に形成され、該ベースプレートの後方に突出する一対の延出部と、
前記第１領域内で前記取付面の幅方向の一方側と他方側に形成され、前記サスペンション支持部に向って突出する一対の凸部と、
前記第２領域内で前記取付面の幅方向の一方側と他方側に位置する前記一対の延出部に形成され、前記サスペンション支持部に向って突出する一対の凸部とを有し、
前記ボス部が前記アクチュエータアームの前記孔に挿入されかつ前記各凸部がそれぞれ前記サスペンション支持部に当接した状態において、前記ボス部が前記アクチュエータアームに固定されていることを特徴とするディスク装置用サスペンション。
【請求項２】
前記ボス部が前記アクチュエータアームの前記孔に挿入されかつ前記各凸部がそれぞれ前記サスペンション支持部に当接した状態において、前記ボス部を塑性変形させることにより、前記ボス部の外周面が前記孔の内周面に固定されていることを特徴とする請求項１に記載のディスク装置用サスペンション。
【発明の詳細な説明】
【技術分野】
【０００１】
この発明は、記録媒体としてのディスクを備えた情報処理装置に使用されるディスク装置用サスペンションに関する。
【背景技術】
【０００２】
パーソナルコンピュータ等の情報処理装置に、ハードディスク装置（ＨＤＤ）が使用されている。ハードディスク装置は、スピンドルを中心に回転する磁気ディスクと、ピボット軸を中心に旋回するキャリッジのアーム（これ以降、アクチュエータアームと称する）などを含んでいる。このアクチュエータアームの先端部に、ディスク装置用サスペンションが設けられている。
【０００３】
ディスク装置用サスペンションは、前記アクチュエータアームに固定されるベースプレートと、該ベースプレートに取付けられたロードビーム(load beam)と、ロードビームに沿って配置されるフレキシャ(flexure)などを有している。フレキシャに形成されたタング部にスライダが取付けられている。スライダにはデータの読取りあるいは書込みを行なうための素子（トランスジューサ）が設けられている。
【０００４】
前記サスペンションのベースプレートは、下記の特許文献１，２に開示されているように、アクチュエータアームのサスペンション支持部に固定されている。例えばベースプレートに形成されたボス部をアクチュエータアームに形成された孔に挿入し、該ボス部を治具によって内側から加圧し、ボス部を塑性変形（拡径）させることにより、ベースプレートがアクチュエータアームに固定される。
【特許文献１】特開２００７−２８７２９６号公報
【特許文献２】特開２００８−００４１４２号公報
【発明の開示】
【発明が解決しようとする課題】
【０００５】
しかしサスペンションの振動試験を行なったときに、スウェイ振動モード（スライダの幅方向の共振周波数）が所望の周波数よりも低い事例が見られた。本発明者達が鋭意研究したところによれば、その原因の１つとして、アクチュエータアームに対するベースプレートの取付部の状態が関与していることが判った。
【０００６】
前記アクチュエータアームのサスペンション支持部（ベースプレートと接する面）は、平面となるように研磨等によって精密に加工されている。一方、前記サスペンション支持部と対向するベースプレートの取付面もプレスなどによって平面に加工されている。しかしベースプレートはステンレス鋼などの比較的柔らかい金属板をプレスによって成形するため、プレス加工後の面精度がアクチュエータアームのサスペンション支持部よりも劣ることが避けられない。
【０００７】
例えばベースプレートが歪んでいたり、反っていたりしていることがある。このようなベースプレートをアクチュエータアームのサスペンション支持部に重ねたときに、ベースプレートとサスペンション支持部とが不安定な状態で接触する可能性があり、このことがサスペンションの振動特性に影響を与えることが判った。
【０００８】
従って本発明の目的は、振動特性を改善することができるディスク装置用サスペンションを提供することにある。
【課題を解決するための手段】
【０００９】
本発明は、ディスク装置のアクチュエータアームのサスペンション支持部に固定されるベースプレートと、前記ベースプレートに取付けられたロードビームと、前記ロードビームに沿って配置されかつ先端部にスライダが設けられるフレキシャとを有するディスク装置用サスペンションであって、前記ベースプレートは、前記サスペンション支持部と向かい合う取付面と、前記サスペンション支持部に形成された孔に挿入されるボス部と、前記取付面のうち前記ボス部の中心を境として前記スライダに近い側に位置する第１領域と、前記取付面のうち前記ボス部の中心を境として前記スライダから遠い側に位置する第２領域と、前記第１領域内で前記取付面の幅方向の一方側と他方側に形成され、前記サスペンション支持部に向って突出する一対の凸部と、前記第２領域内で前記取付面の幅方向の一方側と他方側に形成され、前記サスペンション支持部に向って突出する一対の凸部とを有し、前記ボス部が前記アクチュエータアームの前記孔に挿入されかつ前記各凸部がそれぞれ前記サスペンション支持部に当接した状態において、前記ボス部が前記アクチュエータアームに固定されている。
【００１０】
この発明では、前記ベースプレートの後端に、該ベースプレートの後方に突出する一対の延出部が形成され、該延出部に前記凸部が形成されている。
【００１１】
また、前記ボス部が前記アクチュエータアームの前記孔に挿入されかつ前記各凸部がそれぞれ前記サスペンション支持部に当接した状態において、前記ボス部を塑性変形させることにより、前記ボス部の外周面が前記孔の内周面に固定されている。
【発明の効果】
【００１２】
本発明によれば、アクチュエータアームのサスペンション支持部に対し、サスペンションのベースプレートを安定した状態で固定することができ、サスペンションの振動特性を向上させることができる。
【発明を実施するための最良の形態】
【００１３】
以下に本発明の第１の実施形態について、図１から図８を参照して説明する。  
図１に示すハードディスク装置（ＨＤＤ）１０は、ケース１１と、スピンドル１２を中心に回転するディスク１３と、ピボット軸１４を中心に旋回可能なキャリッジ１５と、キャリッジ１５を駆動するためのポジショニング用モータ１６などを有している。ケース１１は、図示しない蓋によって密閉される。
【００１４】
図２はディスク装置１０の一部を模式的に示す断面図である。図２に示されるように、キャリッジ１５に複数のアクチュエータアーム１７が設けられている。アクチュエータアーム１７の先端部にディスク装置用サスペンション（以下、単にサスペンションと称する）２０が取付けられている。
【００１５】
サスペンション２０の先端に、磁気ヘッドを構成するスライダ２１が設けられている。ディスク１３がスピンドル１２を中心に高速で回転すると、ディスク１３とスライダ２１との間にエアベアリングが形成される。ポジショニング用モータ１６によってアクチュエータアーム１７を旋回させると、サスペンション２０がディスク１３の径方向に移動することにより、スライダ２１がディスク１３の所望トラックまで移動する。
【００１６】
図３はサスペンション２０の一例を示している。サスペンション２０は、ベースプレート３０を含むベース部３１と、ロードビーム３２と、配線付きフレキシャ(flexure with conductors)３３などを備えている。フレキシャ３３は、ロードビーム３２に沿って、ロードビーム３２の厚み方向に重ねて配置されている。フレキシャ３３の先端部付近に、タング部（ジンバル部）３４が設けられている。タング部３４に前記スライダ２１（図３に示す）が取付けられている。磁気ヘッドとして機能するスライダ２１には、読取用素子および書込用素子（いずれも図示せず）が設けられている。
【００１７】
図３に示すようにロードビーム３２は、基部３２ａと先端部３２ｂとを有している。ロードビーム３２の基部３２ａはベースプレート３０に重ねられ、レーザ溶接等の固定手段によってベースプレート３０に固定されている。ロードビーム３２の厚さは例えば３０μｍ〜１００μｍ前後である。ロードビーム３２の一部に、ばね性を有する一対のヒンジ部４０が形成されている。ベースプレート３０の厚さはロードビーム３２の厚さよりも大きく、例えば１００μｍ以上である。
【００１８】
ヒンジ部４０はベースプレート３０の近傍に形成され、厚み方向に撓むことができる。なお、ロードビーム３２にヒンジ部４０を形成する代りに、ベースプレート３０とロードビーム３２との間に、ロードビーム３２とは別体に形成されたヒンジ部材（図示せず）を設けてもよい。ロードビーム３２の先端部３２ｂ付近に、ディンプル４１が形成されている。ディンプル４１はタング部３４に向って突出している。
【００１９】
キャリッジ１５のアクチュエータアーム１７（図１と図２に示す）に、サスペンション支持部５０（図５に示す）が設けられている。サスペンション支持部５０は、平面となるように研磨等によって精密に仕上げられている。サスペンション支持部５０に円形の孔５１が形成されている。以下に説明するように、サスペンション支持部５０にサスペンション２０のベースプレート３０が固定されている。
【００２０】
図３から図５に示されるように、ベースプレート３０は、サスペンション支持部５０と向かい合う取付面６０と、ボス部６１とを有している。ボス部６１は、プレス加工によって短円筒形に成形されている。ベースプレート３０の後端に、ベースプレート３０の後方に突出する一対の延出部６２，６３が形成されている。
【００２１】
ベースプレート３０がサスペンション支持部５０に固定される前の状態では、ボス部６１の外径はアクチュエータアーム１７の孔５１の内径よりも僅かに小さい。すなわちボス部６１を孔５１に挿入することができるようになっている。ボス部６１をアクチュエータアーム１７の孔５１に挿入し、ボス部６１を内側から加圧し、径を広げる方向に塑性変形させることにより、孔５１の内周面５１ａにボス部６１の外周面６１ａが固定される。
【００２２】
図３と図４に示されるように、ベースプレート３０の取付面６０は、ボス部６１の中心Ｃを境として、スライダ２１に近い側に位置する第１領域Ｓ１と、スライダ２１から遠い側に位置する第２領域Ｓ２とを有している。換言すると、ボス部６１の前半分が第１領域Ｓ１に形成され、ボス部６１の後半分が第２領域Ｓ２に形成されている。ボス部６１の周りに環状の浅い凹部６５形成されている。
【００２３】
またこのベースプレート３０は、サスペンション支持部５０と重ならない第３領域Ｓ３（図４に示す）を有している。第３領域Ｓ３には、ベースプレート３０の軽量化を図るために開口部６６が形成されている。
【００２４】
ベースプレート３０の第１領域Ｓ１のボス部６１の近傍に、一対の前側の凸部７０，７１が形成されている。これらの凸部７０，７１は、それぞれ、ベースプレート３０の幅方向（図４に矢印Ｗで示す）の一方側と他方側に離れて形成されている。
【００２５】
ベースプレート３０の第２領域Ｓ２の後端に前記延出部６２，６３が形成されている。延出部６２，６３に、後側の凸部７２，７３が形成されている。これらの凸部７２，７３は、それぞれ、ベースプレート３０の幅方向（図４に矢印Ｗで示す）の一方側と他方側に離れて形成されている。
【００２６】
前記凸部７０，７１，７２，７３は、アクチュエータアーム１７のサスペンション支持部５０に向って、ベースプレート３０の厚さ方向に突出している。凸部７０，７１，７２，７３の高さＨ（図５に示す）は互いに等しく、高さＨの一例は５μｍである。ここで言う高さＨは、ベースプレート３０の基準面３０ａから凸部７０，７１，７２，７３の表面までの距離に相当する。
【００２７】
前記凸部７０，７１，７２，７３は、例えばベースプレート３０をコイニング加工することによって形成されている。コイニングはプレス設備によって行なわれる塑性加工の一種であり、精密な成形面を有する金型によってベースプレート３０を厚さ方向に打圧し、ベースプレート３０に塑性流動を生じさせることにより、平滑な表面を有する取付面６０と、ボス部６１と、凹部６５と、凸部７０，７１，７２，７３等を成形することができる。コイニングによれば、切削等の機械加工を行なう場合のようなコンタミネーション（異物の原因となる微粒子）の発生も回避することができる。
【００２８】
アクチュエータアーム１７にサスペンション２０を取付ける際に、図５に示すようにベースプレート３０のボス部６１がアクチュエータアーム１７の孔５１に挿入される。この状態で、前側の凸部７０，７１と後側の凸部７２，７３の全てが、アクチュエータアーム１７のサスペンション支持部５０に当接するように、ベースプレート３０を矢印Ｐ１で示す方向に加圧した状態で、治具８０をボス部６１に圧入する。この治具８０によって、ボス部６１を内側から矢印Ｐ２で示す方向（径方向）に加圧することにより、ボス部６１を塑性変形させ、孔５１の内周面５１ａに向ってボス部６１を拡径させる。こうしてボス部６１の外周面６１ａがアクチュエータアーム１７の孔５１の内周面５１ａに固定される。
【００２９】
ベースプレート３０は、例えばオーステナイト系ステンレス鋼からなる。アクチュエータアーム１７はベースプレート３０よりも硬く、曲げ剛性が大きい金属からなる。しかもアクチュエータアーム１７の厚さＴ１（図５に示す）は、ベースプレート３０の厚さＴ２よりも大きい。
【００３０】
このため、凸部７０，７１，７２，７３の高さが多少不揃いであっても、アクチュエータアーム１７とベースプレート３０を治具８０と押さえ部材８１によってクランプしたときに、ベースプレート３０が多少変形することにより、全ての凸部７０，７１，７２，７３をサスペンション支持部５０に当接させることができる。この状態のもとで、ボス部６１を内側から塑性変形させることにより、ボス部６１の外周面６１ａが孔５１の内周面５１ａに固定される。
【００３１】
本実施形態のサスペンション２０は、ベースプレート３０の後端に延出部６２，６３が形成され、この延出部６２，６３に凸部７２，７３が形成されている。延出部６２，６３はベースプレート３０の後端から舌片状に突き出ているため、ベースプレート３０の厚さ方向に僅かに（数μｍ以上）撓むことができる。
【００３２】
このため、凸部７０，７１，７２，７３の高さがばらついていたり、ベースプレート３０が多少歪んでいたりしても、アクチュエータアーム１７とベースプレート３０が厚さ方向にクランプされたときに、延出部６２，６３が厚さ方向に僅かに撓むことができることにより、全ての凸部７０，７１，７２，７３を比較的容易にサスペンション支持部５０に当接させることができる。よって、このサスペンション２０をアクチュエータアーム１７に安定した状態で固定することができる。なお、延出部６２，６３を設けずに、ベースプレート３０の取付面６０の四隅に凸部７０，７１，７２，７３を形成してもよい。
【００３３】
図６〜図８は、前記サスペンション２０の３個のサンプル品１〜３の振動特性と、比較例１〜３の振動特性を測定した結果を示している。図６〜図８に実線で示す波形は、それぞれ、本発明の実施形態に係るサスペンション２０の振動特性である。図６〜図８に破線で示す波形は、それぞれ、凸部７０，７１，７２，７３を有しない比較例の振動特性を示している。
【００３４】
いずれもサスペンションをアクチュエータアームに相当するマウント治具に固定し、加振機によってスウェイ方向（サスペンションの幅方向）に加振し、レーザードップラー振動計等の振動測定器によって、サスペンションの先端部の振動を測定した。これら３個のサンプル品１〜３の構成は互いに共通であるが、凸部７０，７１，７２，７３の僅かな相違等によって、互いに異なる振動特性が現れている。
【００３５】
図６〜図８から判るように、本発明に係るサスペンション２０の共振周波数のピークＱ１は、比較例１〜３のサスペンションの共振周波数のピークＱ２よりも約１ｋＨｚ高くなっている。すなわち凸部７０，７１，７２，７３を有するサスペンション２０は、凸部７０，７１，７２，７３を有しないサスペンションと比較して共振周波数が高くなり、振動特性が向上している。
【００３６】
図９は本発明の他の実施形態に係るサスペンションのベースプレート３０の一部を示している。このベースプレート３０は、凸部７０，７２の裏面にプレスによって凹部９０，９２が形成されている。すなわちプレスによって凹部９０，９２を形成すると同時に、凹部９０，９２の反対側の面に凸部７０，７２を押出すことにより、凸部７０，７２が形成されている。なお、凸部７０，７２以外の凸部７１，７３（図３に示す）の裏側にも、同様の凹部（図示せず）が形成されている。
【００３７】
なお本発明を実施するに当たり、ベースプレートやロードビームの具体的な形状、構造をはじめとして、凸部の形状や配置、凸部の高さなどについても前記実施形態に制約されることはなく、発明の要旨を逸脱しない範囲で種々に変更して実施できることは言うまでもない。
【図面の簡単な説明】
【００３８】
【図１】本発明の第１の実施形態に係るサスペンションを備えたディスク装置の斜視図。
【図２】図１に示されたディスク装置の一部の断面図。
【図３】本発明の第１の実施形態に係るサスペンションの斜視図。
【図４】図３に示されたサスペンションとアクチュエータアームの一部の平面図。
【図５】図４中のＦ５−Ｆ５に沿うサスペンションの断面図。
【図６】図３に示されたサスペンションのサンプル品１の振動特性と、比較例１の振動特性を示す図。
【図７】図３に示されたサスペンションのサンプル品２の振動特性と、比較例２の振動特性を示す図。
【図８】図３に示されたサスペンションのサンプル品３の振動特性と、比較例３の振動特性を示す図。
【図９】本発明の第２の実施形態に係るサスペンションのベースプレートの断面図。
【符号の説明】
【００３９】
１０…ディスク装置
１７…アクチュエータアーム
２０…サスペンション
２１…スライダ
３０…ベースプレート
３２…ロードビーム
３３…フレキシャ
５０…サスペンション支持部
５１…孔
６０…取付面
６１…ボス部
６２，６３…延出部
Ｓ１…第１領域
Ｓ２…第２領域
７０，７１…凸部
７２，７３…凸部
【図１】
0004980290.tif 000002
【図２】
0004980290.tif 000003
【図３】
0004980290.tif 000004
【図４】
0004980290.tif 000005
【図５】
0004980290.tif 000006
【図６】
0004980290.tif 000007
【図７】
0004980290.tif 000008
【図８】
0004980290.tif 000009
【図９】
0004980290.tif 000010